(57)【要約】      （修正有）【課題】様々なサイズや機種のフラットパネルディスプレイに取り付けられる物置棚を提供する。【解決手段】上下方向に延びる縦部１１と、縦部１１の上端部から後方に延びる横部１６とをそれぞれ含む左右２つの取付具１０を設ける。そして、各縦部１１に上下方向に延びる上下長孔１２を形成し、各横部１６に前後方向に延びる前後長孔１７を形成する。また、物置棚２０を設け、その物置棚２０に、左右方向に延びる左右長孔２２を形成する。そして、壁取付用の雌ネジに左右２つの取付具１０の縦部１１を、上下長孔１２に通した雄ネジ１３で止める。また。左右２つの取付具１０の横部１６に物置棚２０を、左右長孔２２と前後長孔１７とに通した止め具２３で止める。【選択図】図４
0003167037.tif 000002
【実用新案登録請求の範囲】
【請求項１】
フラットパネルディスプレイ（７）の背面に設けられた壁取付用の雌ネジ（８）に止着される左右２つの取付具（１０）と、左右２つの取付具（１０）に取り付けられてフラットパネルディスプレイ（７）の上方に配置される物置棚（２０）とを含むフラットパネルディスプレイ用物置棚（９）において、
左右２つの取付具（１０）はそれぞれ上下方向に延びる縦部（１１）と縦部（１１）の上端部から後方に延びる横部（１６）とを含み、各縦部（１１）に上下方向に延びる上下長孔（１２）が形成され、各横部（１６）に前後方向に延びる前後長孔（１７）が形成され、物置棚（２０）に左右方向に延びる左右長孔（２２）が形成され、
壁取付用の雌ネジ（８）に左右２つの取付具（１０）の縦部（１１）を、上下長孔（１２）に通した雄ネジ（１３）で止め、かつ、左右２つの取付具（１０）の横部（１６）に物置棚（２０）を、左右長孔（２２）と前後長孔（１７）とに通した止め具（２３）で止める際に、
上下長孔（１２）に対する雄ネジ（１３）の止め位置調節により、取付具（１０）及び物置棚（２０）の高さを連続的に調節でき、左右長孔（２２）に対する止め具（２３）の止め位置調節により、左右２つの取付具（１０）の間隔を連続的に調節でき、かつ、前後長孔（１７）に対する止め具（２３）の止め位置調節により、物置棚（２０）の前後位置を連続的に調節できるように構成されたことを特徴とするフラットパネルディスプレイ用物置棚。
【請求項２】
前記物置棚（２０）は、前後方向及び左右方向に延びる基部（２１）と、基部（２１）の前端部から下方に延びる垂下部（２５）とを含み、
前記物置棚（２０）は、基部（２１）の前端部の下面をフラットパネルディスプレイ（７）の上面に当接させ、かつ、垂下部（２５）の背面をフラットパネルディスプレイ（７）の上端部の前面に当接させた前端部当接状態で、左右２つの取付具（１０）に取り付けるように構成された請求項１に記載のフラットパネルディスプレイ用物置棚。
【請求項３】
前記左右長孔（２２）として、物置棚（２０）に前後方向に間隔をおいて前側の左右長孔（２２）と後側の左右長孔（２２）との２本の左右長孔（２２）が形成され、
前記止め具（２３）として、左側の取付具（１０）の前後長孔（１７）と物置棚（２０）の前側の左右長孔（２２）とに通される左前側の止め具（２３）と、左側の取付具（１０）の前後長孔（１７）と物置棚（２０）の後側の左右長孔（２２）とに通される左後側の止め具（２３）と、右側の取付具（１０）の前後長孔（１７）と物置棚（２０）の前側の左右長孔（２２）とに通される右前側の止め具（２３）と、右側の取付具（１０）の前後長孔（１７）と物置棚（２０）の後側の左右長孔（２２）とに通される右後側の止め具（２３）との４本の止め具（２３）が設置された請求項１又は２に記載のフラットパネルディスプレイ用物置棚。
【請求項４】
前記物置棚（２０）は、基部（２１）の前端部から上方に延びる前壁部（２６）を含み、前端部当接状態のときには、フラットパネルディスプレイ（７）の上端部の前面と前壁部（２６）の前面とが面一になるように構成された請求項２に記載のフラットパネルディスプレイ用物置棚。
【請求項５】
前記取付具（１０）には、フラットパネルディスプレイ（７）の転倒を防止する転倒防止具（３０）を取り付けるための転倒防止具取付用の雌ネジ（１４）が設けられた請求項１〜４のいずれか一項に記載のフラットパネルディスプレイ用物置棚。
【考案の詳細な説明】
【技術分野】
【０００１】
本考案は、液晶ディスプレイ、プラズマディスプレイ、発光ダイオードディスプレイ、エレクトロルミネセンスディスプレイ等のフラットパネルディスプレイの上方に設置する物置棚に関する。
【背景技術】
【０００２】
従来は、ブラウン管ディスプレイが主流であり上面が広かったため、ディスプレイの上に、時計、ぬいぐるみ、写真立て、リモコン等の色々な小物を置いたものであるが、ディスプレイの主流が、ブラウン管ディスプレイからフラットパネルディスプレイに代わると上面が狭くなり、ディスプレイの上にそれらの小物を置けなくなった。
【０００３】
そのため、従来例（特許文献１）のように、フラットパネルディスプレイの背面左側にある左側の壁面取付用の雌ネジに、ディスプレイの上端部左側の背後にまで延びる左側の取付具を雄ネジで取り付け、フラットパネルディスプレイの背面右側にある右側の壁面取付用の雌ネジに、ディスプレイの上端部右側の背後にまで延びる右側の取付具を雄ネジで取り付け、それらの左右２つの取付具の上端に物置棚を止め具で取り付ける技術も考案された。
【先行技術文献】
【特許文献】
【０００４】
【特許文献１】実用新案登録第３１５４４３１号公報
【考案の概要】
【考案が解決しようとする課題】
【０００５】
しかしながら、従来例では、対応可能なフラットパネルディスプレイの機種が極少数に限られてしまう。なぜなら、フラットパネルディスプレイには、１５インチ、３７インチ、５２インチ等、様々なサイズのものがあり、サイズが異なる場合には、左右の壁面取付用の雌ネジの間隔や、その雌ネジからディスプレイ上面までの高さや、ディスプレイ前後幅が異なる場合が殆どであり、また、たとえサイズが同じであっても、機種（メーカー等）が違えば、それらの間隔・高さ・幅が異なることが多くあるからである。
【０００６】
なお、そのため、従来例では、左右２つの取付具の間隔については、物置棚の脚に左右方向に複数の丸孔を並設し、それらの中から止め具を挿通させる丸孔を択一的に選択することによって段階的に調節できるようにするとともに、物置棚の高さについても、取付具に上下方向に複数の丸孔を並設し、それらの中から雄ネジを挿通させる丸孔を択一的に選択することによって段階的に調節できるようにしているが、それだけでは十分ではない。なぜなら、左右の壁面取付用の雌ネジの間隔が、上記の段階調節では調節不能な中間的な大きさの場合には、左右２つの取付具の間隔を左右の雌ネジの間隔に合わせることができず、また、その雌ネジからディスプレイ上面までの高さが上記の段階調節では調節不能な中間的な高さの場合には、物置棚の高さをディスプレイの上方の適当な高さに合わせることができず、また、物置棚の前方への突出長とディスプレイ前後幅とが合わない場合には、物置棚の前端をディスプレイの前端に合わせることができないからである。
【０００７】
そこで、左右の壁面取付用の雌ネジの間隔や、その雌ネジからディスプレイ上面までの高さや、ディスプレイ前後幅が異なる様々なサイズや機種（メーカー等）のフラットパネルディスプレイに、物置棚を取り付けられるようにすることを目的とする。
【課題を解決するための手段】
【０００８】
上記目的を達成するため、本考案のフラットパネルディスプレイ用物置棚は、フラットパネルディスプレイの背面に設けられた壁取付用の雌ネジに止着される左右２つの取付具と、左右２つの取付具に取り付けられてフラットパネルディスプレイの上方に配置される物置棚とを含むフラットパネルディスプレイ用物置棚において、左右２つの取付具はそれぞれ上下方向に延びる縦部と縦部の上端部から後方に延びる横部とを含み、各縦部に上下方向に延びる上下長孔が形成され、各横部に前後方向に延びる前後長孔が形成され、物置棚に左右方向に延びる左右長孔が形成され、壁取付用の雌ネジに左右２つの取付具の縦部を、上下長孔に通した雄ネジで止め、かつ、左右２つの取付具の横部に物置棚を、左右長孔と前後長孔とに通した止め具で止める際に、上下長孔に対する雄ネジの止め位置調節により、取付具及び物置棚の高さを連続的に調節でき、左右長孔に対する止め具の止め位置調節により、左右２つの取付具の間隔を連続的に調節でき、かつ、前後長孔に対する止め具の止め位置調節により、物置棚の前後位置を連続的に調節できるように構成されたことを特徴とする。
【０００９】
前記物置棚は、特に限定されないが、より安定に設置されるために、次の［ｉ］［ii］の少なくともいずれかの態様であることが好ましい。
【００１０】
［ｉ］前記物置棚は、前後方向及び左右方向に延びる基部と、基部の前端部から下方に延びる垂下部とを含み、前記物置棚は、基部の前端部の下面をフラットパネルディスプレイの上面に当接させ、かつ、垂下部の背面をフラットパネルディスプレイの上端部の前面に当接させた前端部当接状態で、左右２つの取付具に取り付けるように構成された態様。
【００１１】
［ii］前記左右長孔として、物置棚に前後方向に間隔をおいて前側の左右長孔と後側の左右長孔との２本の左右長孔が形成され、前記止め具として、左側の取付具の前後長孔と物置棚の前側の左右長孔とに通される左前側の止め具と、左側の取付具の前後長孔と物置棚の後側の左右長孔とに通される左後側の止め具と、右側の取付具の前後長孔と物置棚の前側の左右長孔とに通される右前側の止め具と、右側の取付具の前後長孔と物置棚の後側の左右長孔とに通される右後側の止め具との４本の止め具が設置された態様。
【００１２】
また、上記［ｉ］の態様において、前記物置棚は、特に限定されないが、基部の前端部から上方に延びる前壁部を含み、前端部当接状態のときには、フラットパネルディスプレイの上端部の前面と前壁部の前面とが面一になるように構成されていることが好ましい。
【００１３】
また、前記取付具には、特に限定されないが、フラットパネルディスプレイの転倒を防止する転倒防止具を取り付けるための転倒防止具取付用の雌ネジが設けられていることが好ましい。詳しくは、３７インチ以上のディスプレイに対応させる場合には、転倒防止具取付用の雌ネジを設けることが好ましい。また、前記転倒防止具は、特に限定されないが、一端部をビス等で転倒防止具取付用の雌ネジに止着し、他端部を壁等に止着する紐状の部材（ワイヤー、バンド、チェーン等）や棒状の部材を例示する。
【考案の効果】
【００１４】
本考案によれば、左右２つの取付具の間隔を連続的に調節できるため、左右の壁面取付用の雌ネジの間隔については、所定の範囲内の大きさであれば中間的なあらゆる大きさの場合にも対応できる。また、左右２つの取付具と物置棚との高さを連続的に調節できるため、左右の壁面取付用の雌ネジからディスプレイ上面までの高さについては、所定の範囲内の大きさであれば中間的なあらゆる大きさの場合にも対応できる。また、物置棚の前後位置を連続的に調節できるため、ディスプレイ前後幅については、所定の範囲内の大きさであれば中間的なあらゆる大きさの場合にも対応できる。
【００１５】
そのため、左右の壁面取付用の雌ネジの間隔や、その雌ネジからディスプレイ上面までの高さや、ディスプレイ前後幅が異なる様々なサイズや機種（メーカー等）のフラットパネルディスプレイに、同一スペックのフラットパネルディスプレイ用物置棚を取り付けることができる。
【図面の簡単な説明】
【００１６】
【図１】実施例１のフラットパネルディスプレイ用物置棚を、フラットパネルディスプレイに取り付けた状態を示す正面図（ａ）及び側面断面図（ｂ）である。
【図２】実施例１で使用するフラットパネルディスプレイを示す斜視図である。
【図３】実施例１において、フラットパネルディスプレイに左右２つの取付具を取り付けた状態を示す斜視図である。
【図４】実施例１のフラットパネルディスプレイ用物置棚を、フラットパネルディスプレイに取り付けた状態を示す斜視図である。
【図５】実施例１において、フラットパネルディスプレイに転倒防止具を取り付けた状態を示す側面断面図（ａ）及びフラットパネルディスプレイに従来の転倒防止具を取り付けた状態を示す側面断面図（ｂ）である。
【図６】実施例１のフラットパネルディスプレイ用物置棚を、小型のフラットパネルディスプレイに取り付けた状態を示す斜視図（ａ）及び大型のフラットパネルディスプレイに取り付けた状態を示す斜視図（ｂ）である。
【図７】実施例２のフラットパネルディスプレイ用物置棚を、フラットパネルディスプレイに取り付けた状態を示す斜視図である。
【図８】変更例１のフラットパネルディスプレイ用物置棚を、フラットパネルディスプレイに取り付けた状態を示す正面図（ａ）及び側面断面図（ｂ）である。
【図９】変更例２のフラットパネルディスプレイ用物置棚を、フラットパネルディスプレイに取り付けた状態を示す正面図（ａ）及び側面断面図（ｂ）である。
【考案を実施するための形態】
【実施例１】
【００１７】
図１〜図６に示す本実施例１のフラットパネルディスプレイ用物置棚９は、液晶ディスプレイ、プラズマディスプレイ、発光ダイオードディスプレイ、エレクトロルミネセンスディスプレイ等の様々なフラットパネルディスプレイ７上方に、時計、ぬいぐるみ、写真立て、リモコン等の小物を置けるようにするための棚であって、次に示す、左右２つの取付具１０，１０と、物置棚２０とからなる。
【００１８】
左右２つの取付具１０，１０は、物置棚２０をフラットパネルディスプレイ７の上方に固定するためのＬ字形の部材であって、各取付具１０は、上下方向に延びる縦部１１と、縦部１１の上端から屈曲して後方に延びる横部１６とからなる。そして、各縦部１１には、上下方向に延びる上側の上下長孔１２と下側の上下長孔１２とが上下方向に間隔をおいて形成され、上側の上下長孔１２よりも上方には、フラットパネルディスプレイ７の転倒を防止する転倒防止具３０を取り付けるための転倒防止具取付用の雌ネジ１４（直径８ｍｍ程度）が設けられている。また、各横部１６には、前後方向に延びる前後長孔１７が形成されている。なお、左右２つの各取付具１０の厚さは、３７インチテレビ用までは３ミリ、５０インチテレビ用までは４ミリであることが好ましい。
【００１９】
物置棚２０は、小物を載置するための棚であって、アクリル板が曲げ加工されて形成されている。この物置棚２０は、前後方向及び左右方向に延びる基部２１と、該基部２１の前端の左右中央部から屈曲して下方に延びる垂下部２５と、基部２１の前端における垂下部２５よりも左方及び右方から屈曲して上方に延びる前壁部２６，２６と、基部２１の左端から屈曲して上方に延びる左壁部２７と、基部２１の右端から屈曲して上方に延びる右壁部２８と、基部２１の後端から屈曲して上方に延びる後壁部２９とからなる。また、この物置棚２０の基部２１の下面には、フラットパネルディスプレイ７の上面に傷が付かないようにするための保護シール（図示略）が張られている。なお、この物置棚２０を構成するアクリル板の厚さは、２６インチテレビ用までは３ミリ、４０インチテレビ用までは４ミリ、５０インチテレビ用までは５ミリであることが好ましい。
【００２０】
以上に示したフラットパネルディスプレイ用物置棚９を、図２に示すフラットパネルディスプレイ７に取り付ける手順を次に説明する。
【００２１】
［１］まず、図３に示すように、フラットパネルディスプレイ７の背面左側にある上下２つの左側の壁取付用の雌ネジ８，８に左側の取付具１０を、その上下２つの上下長孔１２，１２に通した上下２つの雄ネジ１３，１３で止める。また、フラットパネルディスプレイ７の背面右側にある上下２つの右側の壁取付用の雌ネジ８，８に右側の取付具１０を、その上下２つの上下長孔１２，１２に通した上下２つの雄ネジ１３，１３で止める。このとき、左側の取付具１０の上下２つの上下長孔１２，１２に対する上下２つの雄ネジ１３，１３の止め位置調節と、右側の取付具１０の上下２つの上下長孔１２，１２に対する上下２つの雄ネジ１３，１３の止め位置調節とにより、左右２つの取付具１０，１０の横部１６，１６の上面がフラットパネルディスプレイ７の上面と同じ高さになるように調節する。
【００２２】
［２］次に、図４に示すように、物置棚２０の基部２１の前端部の下面をフラットパネルディスプレイ７の上面に当接させ、かつ、垂下部２５の背面をフラットパネルディスプレイ７の上端部の前面に当接させる。このとき、フラットパネルディスプレイ７の上端部の前面と前壁部２６，２６の前面とが面一になる。そして、その状態（前端部当接状態）で、左側の取付具１０の横部１６に物置棚２０を、左側の取付具１０の前後長孔１７と物置棚２０の左右長孔２２とに通した左側の止め具２３と、右側の取付具１０の前後長孔１７と物置棚２０の左右長孔２２とに通した右側の止め具２３とで止める。
【００２３】
［３］また、更に、フラットパネルディスプレイ７の転倒が心配な場合等には、図５（ａ）に示すように、左右２つの取付具１０，１０の転倒防止具取付用の雌ネジ１４，１４に、転倒防止具３０，３０（例えば、ビニールバンド）の一端部を、雄ネジ部材３２，３２（例えば、丸リング付きのビス）で取り付け、他端部を壁３９等の任意の位置に取り付ける。これによれば、図５（ｂ）に示すように、フラットパネルディスプレイ７のスタンドに転倒防止具９０（例えば、ビニールバンド）の一端部をビス９２等で取り付け、他端部をラック３５等に取り付けるだけの現行品に比べてより確実にフラットパネルディスプレイ７の転倒を防止することができる。
【００２４】
本実施例１によれば、物置棚２０の左右長孔２２に対する左右２つの止め具２３，２３の止め位置調節により、左右２つの取付具１０，１０の間隔を連続的に調節できるため、左側の壁面取付用の雌ネジ８，８と右側の壁面取付用の雌ネジ８，８との間隔Ｗについては、所定の範囲内の大きさであれば中間的なあらゆる大きさの場合にも対応できる。
【００２５】
また、左右２つの取付具１０，１０の計４つの上下長孔１２，１２，１２，１２に対する計４つの雄ネジ１３，１３，１３，１３の止め位置調節により、左右２つの取付具１０，１０と物置棚２０との高さを連続的に調節できるため、左右の上側の壁面取付用の雌ネジ８，８からフラットパネルディスプレイ７の上面までの高さＨ１及び左右の下側の壁面取付用の雌ネジ８，８からフラットパネルディスプレイ７の上面までの高さＨ２については、所定の範囲内の大きさであれば中間的なあらゆる大きさの場合にも対応できる。
【００２６】
また、左右２つの取付具１０，１０の前後長孔１７，１７に対する左右２つの止め具２３，２３の止め位置調節とにより、物置棚２０の前後位置を連続的に調節できるため、フラットパネルディスプレイ７の前後幅Ｄについては、所定の範囲内の大きさであれば中間的なあらゆる大きさの場合にも対応できる。
【００２７】
そのため、図６（ａ）（ｂ）に示すように、様々なサイズや機種（メーカー等）のフラットパネルディスプレイ７ａ，７ｂに、同一スペックのフラットパネルディスプレイ用物置棚９を取り付けることができる。そのため、市販のフラットパネルディスプレイのサイズは大小違いすぎるため、同一スペックですべての市販のフラットパネルディスプレイに対応できるとまではいかないまでも、数種類のスペック（例えば、１５インチから３０インチ用と、３０〜４５インチ用と、４５〜７０インチ用との３種類のスペック）を用意するだけで、略すべての市販のフラットパネルディスプレイに対応することができる。
【実施例２】
【００２８】
図７に示す本実施例２は、次の［ア］〜［エ］の点で実施例１と相違し、その他の点においては実施例１と同様である。
【００２９】
［ア］物置棚２０の前端部に垂下部２５が設けられておらず、物置棚２０の前端部全体に前壁部２６が設けられている点。
［イ］物置棚２０に前後方向に間隔をおいて前後２本の左右長孔２２，２２が設けられている点。
［ウ］物置棚２０に、左側の取付具１０の前後長孔１７と物置棚２０の前側の左右長孔２２とに通される左前側の止め具２３と、左側の取付具１０の前後長孔１７と物置棚２０の後側の左右長孔２２とに通される左後側の止め具２３と、右側の取付具１０の前後長孔１７と物置棚２０の前側の左右長孔２２とに通される右前側の止め具２３と、右側の取付具１０の前後長孔１７と物置棚２０の後側の左右長孔２２とに通される右後側の止め具２３との計４本の止め具２３，２３，２３，２３が止着されている点。
［エ］左右２つの取付具１０，１０が、その横部１６，１６の上面の方がフラットパネルディスプレイ７の上面よりも上方にくるように高さ調節されて、物置棚２０がフラットパネルディスプレイ７の上方に間隔Ｇだけ離れている点。
【００３０】
本実施例２によれば、物置棚２０を左右２つの取付具１０，１０に計４本の止め具２３，２３，２３，２３で止着するため、物置棚２０を、フラットパネルディスプレイ７の上方に離しても、安定に支持することができる。
【００３１】
なお、本考案は前記実施例１，２に限定されるものではなく、考案の趣旨から逸脱しない範囲で適宜変更して具体化することもでき、例えば、実施例１を次の変更例１，２のように変更してもよい。
［変更例１］
図８に示すように、垂下部２５，２５を物置棚２０の前端部の２箇所に左右方向に間隔をおいて設けてもよい。
［変更例２］
図９に示すように、前壁部２６，２６をなくし、垂下部２５を物置棚２０の前端部全体に設けてもよい。
【符号の説明】
【００３２】
７    フラットパネルディスプレイ
８    壁面取付用の雌ネジ
９    フラットパネルディスプレイ用物置棚
１０    取付具
１１    縦部
１２    上下長孔
１３    雄ネジ
１４    転倒防止具取付用の雌ネジ
１６    横部
１７    前後長孔
２０    物置棚
２２    左右長孔
２３    止め具
２５    垂下部
２６    前壁部
３０    転倒防止具
【図１】
0003167037.tif 000003
【図２】
0003167037.tif 000004
【図３】
0003167037.tif 000005
【図４】
0003167037.tif 000006
【図５】
0003167037.tif 000007
【図６】
0003167037.tif 000008
【図７】
0003167037.tif 000009
【図８】
0003167037.tif 000010
【図９】
0003167037.tif 000011